(57)【特許請求の範囲】
【請求項１】
ディスクの第一領域の導入部に記録されたディスクの記録形態に関する識別情報を含む目次情報を読み取る信号読み取り部と、
上記信号読み取り部により読み取られた目次情報をデコードする信号処理部と、
上記信号処理部によりデコードされた目次情報に含まれる各識別情報を識別する識別情報処理部と、
上記識別情報処理部により識別された識別情報の中で、ディスクの第一領域の導入部に記録された領域の形態情報に基づき、ディスクに複数領域が存在しているか否かを判定する複数領域判定部と、
上記識別情報処理部により識別された識別情報の中で、ディスクの第一領域の導入部に記録されたディスク形態情報に基づき、ディスクが読み取り専用ディスクであるか書き込み可能ディスクであるかを判定をするディスク形態判定部と、
上記複数領域判定部の判定結果及び上記ディスク形態判定部の判定結果に基づき、ディスクの種別を判定するディスク種別判定部と、
上記ディスク種別判定部の判定結果に基づきディスクの再生制御を行う制御部とを備え、
上記複数領域判定部がディスクに複数領域が存在していると判定し、上記ディスク形態判定部がディスクを読み取り専用ディスクであると判定した場合に、上記ディスク種別判定部がディスクを特定仕様に基づくディスクとして、各領域の記録形式が特定されたエンハンスドミュージックＣＤであると判定することを特徴とする複数領域対応ディスク再生装置。
【発明の詳細な説明】
【技術分野】
【０００１】
この発明は音楽データやその他のデータを記録した複数領域ディスクの再生を行う複数領域対応ディスク再生装置に関するものである。
【背景技術】
【０００２】
近年、コンピュータ用途のＣＤ−Ｒ（ＣＤレコーダブル）／ＣＤ−ＲＷ（ＣＤリライタブル）用の書き込み可能なドライブの普及に伴い、家庭にて容易に自らの聴取を目的としたディスクの作成が可能となっている。それに伴い、従来想定されていなかった１枚のディスク内に複数の領域を持ち、それぞれに音楽データ形式やその他のデータ形式のデータを記録した複数領域ディスクの作成が可能となり、複数領域に存在する音楽データを全て再生できるような複数領域対応ディスク再生装置の要求が発生している。
【０００３】
図１は従来の複数領域対応ディスク再生装置の構成を示すブロック図である。図において、１は再生対象となるディスク、１ａはディスク１に記録されている領域部である。
領域部１ａは、図１に示すように、第一領域、第二領域、・・・、最終領域から構成され、各領域は、目次情報が記録されている導入部（Ｌｅａｄ  ｉｎ  ａｒｅａ）、プログラム部（Ｐｒｏｇｒａｍ  ａｒｅａ）、終了部（Ｌｅａｄ  ｏｕｔ  ａｒｅａ）から構成されている。また、導入部が記録されている目次情報には、ディスク１の記録形態に関する識別情報が記録されている。この識別情報としては、ディスク１に複数領域が存在しているか否かを示す領域の形態情報と、ディスク１が読み取り専用ディスクであることを示すディスク形態情報が、第一領域に記録されており、第一領域を含む各領域に、現領域が音楽データであるかその他のデータ、例えばＣＤ−ＲＯＭ用のＲＯＭデータであるかを示す現領域のデータ形式や、次領域の目次情報の開始位置情報等が記録されている。
【０００４】
図１に示すように、導入部、プログラム部及び終了部を１つの単位とする領域を複数持つディスク１が複数領域対応ディスクであり、領域が１つであるディスク１が単一領域ディスクである。
【０００５】
２はディスク１から目次情報を含む信号の読み取りを行う信号読み取り部、３は信号読み取り部２で読み取った信号をデコードし、後段の処理ステップで処理可能なデータへの変換を行う信号処理部、４は信号処理部３で処理された信号から各種の処理及び判定や、ディスク再生の制御を実施するマイクロコンピュータである。
【０００６】
マイクロコンピュータ４内において、５は信号処理部３がデコードした目次情報に含まれる各識別情報を識別する識別情報処理部、６は識別情報処理部５により識別された識別情報の中で、ディスクの第一領域の導入部に記録された領域の形態情報に基づき、ディスク１に複数領域が存在しているか否かを判定する複数領域判定部、７は複数領域判定部６の判定結果に基づきディスク１の種別を判定するディスク種別判定部、８はディスク種別判定部７の判定結果に基づき、目次読み取り処理時の処理方法を判定する目次読み取り処理判定部、９はディスク種別判定部７の判定結果に基づき再生処理方法を制御したり、目次読み取り処理判定部８の判定結果に基づき、各領域の目次情報の読み取りの制御を行う制御部である。
【０００７】
次に動作について説明する。
図２は従来の複数領域対応ディスク再生装置におけるディスク判定処理を示すフローチャートである。ステップＳＴ１１において、ディスク１の再生を行う際に、まず、信号読み取り部２は第一領域の目次情報の読み取りを行い、信号処理部３が読み取った目次情報のデコードを行い、識別情報処理部５はデコードされた目次情報に含まれている各識別情報の識別を行う。
【０００８】
ステップＳＴ１２において、複数領域判定部６は、識別情報処理部５により識別された識別情報の中で、ディスクの第一領域の導入部に記録された領域の形態情報に基づき、ディスク１に複数領域が存在しているか否かを判定する。
ステップＳＴ１２で複数領域判定部６により領域が１つであると判定された場合に、ステップＳＴ１３において、ディスク種別判定部７はディスク１を単一領域ディスクであると判定する。ステップＳＴ１２で複数領域が存在すると判定された場合には、ステップＳＴ１４において、ディスク種別判定部はディスク１を複数領域ディスクであると判定する。
【０００９】
ステップＳＴ１５において、ディスク種別判定部７はディスク１の判定処理を終了し、制御部９はそれぞれの判定結果に基づき、単一領域ディスクである場合に単一領域の再生を行い、複数領域ディスクである場合には複数領域の再生を行う。
【００１０】
図３は従来の複数領域対応ディスク再生装置における目次情報の読み取り処理を示すフローチャートである。ステップＳＴ１１からステップＳＴ１４までは、図２のステップＳＴ１１からステップＳＴ１４までと同じである。
【００１１】
ステップＳＴ１３において、ディスク種別判定部７により、ディスク１が単一領域ディスクであると判定された場合に、次領域以降の目次を持たないため、ステップＳＴ１８において、目次読み取り処理判定部８は目次情報の読み取り処理を終了し、制御部９は信号処理部３を介して信号読み取り部２にディスク１のプログラム部の再生を開始させる。
【００１２】
一方、ステップＳＴ１４において、ディスク種別判定部７によりディスク１が複数領域ディスクであると判定され場合には、ステップＳＴ１６において、目次読み取り処理判定部８は、次領域の目次情報の開始位置情報を識別情報処理部５から入手して制御部９に送り、制御部９は信号処理部３を介して信号読み取り部２を次領域目次位置に移動させ、次領域の目次情報の読み取りを行わせる。このとき、信号処理部３は、信号読み取り部２の開始位置への移動時に、現位置と目標位置との誤差情報を制御部９に送り、制御部９は送られた誤差情報に基づき移動制御を行う。そして、ステップＳＴ１１における第一領域の目次情報の読み取り処理と同様に、信号処理部３が目次情報をデコードし、識別情報処理部５がデコードされた目次情報に含まれる各識別情報を識別する。
【００１３】
ステップＳＴ１７において、目次読み取り処理判定部８が、識別情報処理部５が識別した次領域の目次情報の開始位置情報により、さらに次領域が存在していると判定した場合に、ステップＳＴ１６，ＳＴ１７の処理を次領域が存在しなくなるまで繰り返す。ステップＳＴ１７で、目次読み取り処理判定部８は、識別情報処理部５が次領域の目次情報の開始位置情報を識別しておらず、次領域が存在しないと判定すると、ステップＳＴ１８において、目次読み取り処理判定部８は目次情報の読み取り処理を終了させ、制御部９によりディスク１のプログラム部の再生を開始させる。
【発明の開示】
【発明が解決しようとする課題】
【００１４】
従来の複数領域対応ディスク再生装置は以上のように構成されているので、複数領域ディスク再生装置は、単一領域ディスクと区別されずに販売されている、第一領域に音楽データ、第二領域にその他のデータを記録するように各領域の記録形式が特定されたエンハンスドミュージックＣＤ（ＣＤエクストラ）と呼ばれるディスクを、複数領域ディスクと区別することができず、複数領域ディスクと同様に、第二領域に記録されているその他のデータまで再生してしまうという課題があった。
【００１５】
また、複数領域ディスクでは、音楽データであるかその他のデータであるかを示すデータ形式が個々の領域の目次情報にのみ記録されているため、全領域の目次情報の読み取りが終了するまで、どの領域にどの形式のデータが記録されているかを判定できず、既に各領域の記録形式が特定されたエンハンスドミュージックＣＤに関しても、第二領域の目次情報を読み取る必要が生じ、再生時の音出し時間が遅くなるという課題があった。
【００１６】
この発明は、上記のような課題を解決するためになされたもので、ディスクの再生時に読み取る第一領域の目次情報より、複数領域ディスクの中の特にエンハンスドミュージックＣＤを判定し、単一領域のディスクと同様の再生処理を行う複数領域対応ディスク再生装置を得ることを目的とする。
【００１７】
また、この発明は、上記ディスクの判定結果を基に、エンハンスドミュージックＣＤであると判定したときは、第二領域の目次情報を読まずに、通常の単一領域ディスク同様に第一領域の目次データのみを読み取ることにより、単一領域ディスクと同等の音出し時間を提供する複数領域対応ディスク再生装置を得ることを目的とする。
【課題を解決するための手段】
【００１８】
この発明に係る複数領域対応ディスク再生装置は、ディスクの第一領域の導入部に記録されたディスクの記録形態に関する識別情報を含む目次情報を読み取る信号読み取り部と、信号読み取り部により読み取られた目次情報をデコードする信号処理部と、信号処理部によりデコードされた目次情報に含まれる各識別情報を識別する識別情報処理部と、識別情報処理部により識別された識別情報の中で、ディスクの第一領域の導入部に記録された領域の形態情報に基づき、ディスクに複数領域が存在しているか否かを判定する複数領域判定部と、識別情報処理部により識別された識別情報の中で、ディスクの第一領域の導入部に記録されたディスク形態情報に基づき、ディスクが読み取り専用ディスクであるか書き込み可能ディスクであるかを判定をするディスク形態判定部と、複数領域判定部の判定結果及びディスク形態判定部の判定結果に基づき、ディスクの種別を判定するディスク種別判定部と、ディスク種別判定部の判定結果に基づきディスクの再生制御を行う制御部とを備え、複数領域判定部がディスクに複数領域が存在していると判定し、ディスク形態判定部がディスクを読み取り専用ディスクであると判定した場合に、ディスク種別判定部がディスクを特定仕様に基づくディスクとして、各領域の記録形式が特定されたエンハンスドミュージックＣＤであると判定するものである。
【発明の効果】
【００３１】
この発明に係る複数領域対応ディスク再生装置は、ディスクの第一領域の導入部に記録されたディスクの記録形態に関する識別情報を含む目次情報を読み取る信号読み取り部と、上記信号読み取り部により読み取られた目次情報をデコードする信号処理部と、上記信号処理部によりデコードされた目次情報に含まれる各識別情報を識別する識別情報処理部と、上記識別情報処理部により識別された識別情報の中で、ディスクの第一領域の導入部に記録された領域の形態情報に基づき、ディスクに複数領域が存在しているか否かを判定する複数領域判定部と、上記識別情報処理部により識別された識別情報の中で、ディスクの第一領域の導入部に記録されたディスク形態情報に基づき、ディスクが読み取り専用ディスクであるか否かを判定をするディスク形態判定部と、上記複数領域判定部の判定結果及び上記ディスク形態判定部の判定結果に基づき、ディスクの種別を判定するディスク種別判定部と、上記ディスク種別判定部の判定結果に基づきディスクの再生制御を行う制御部とを備え、複数領域判定部がディスクに複数領域が存在していると判定し、ディスク形態判定部がディスクを読み取り専用ディスクであると判定した場合に、ディスク種別判定部がディスクを特定仕様に基づくディスクとして、各領域の記録形式が特定されたエンハンスドミュージックＣＤであると判定するものである。
このことによって、ディスクの種別に対応した再生を行うことができ、エンハンスドミュージックＣＤを、他の複数領域ディスクと区別して、単一領域ディスクと同様に再生することができるという効果がある。
【発明を実施するための最良の形態】
【００４４】
以下、この発明をより詳細に説明するために、この発明を実施するための最良の形態について、添付の図面に従って説明する。
実施の形態１．
図４はこの発明の実施の形態１による複数領域対応ディスク再生装置の構成を示すブロック図である。図において、１０は識別情報処理部５により識別された識別情報の中で、ディスク１の第一領域の導入部に記録されたディスク形態情報に基づき、ディスク１が読み取り専用ディスクであるか否かを判定するディスク形態判定部であり、ディスク種別判定部７は、複数領域判定部６の判定結果だけではなく、ディスク形態判定部１０の判定結果と併せてディスク種別を判定する。その他の従来の図１と同一符号が記された構成については、同一の構成を示している。
【００４５】
次に動作について説明する。
図５はこの発明の実施の形態１による複数領域対応ディスク再生装置の処理を示すフローチャートである。ステップＳＴ２１において、ディスク１の再生を行う際に、信号読み取り部２はディスク１の第一領域の目次情報の読み取りを行い、信号処理部３が目次情報をデコードし、識別情報処理部５はデコードされた目次情報に含まれている各識別情報を識別する。
【００４６】
ステップＳＴ２２において、複数領域判定部６は、識別情報処理部５により識別された識別情報の中で、ディスク１の第一領域の導入部に記録された領域の形態情報に基づき、ディスク１に複数領域が存在しているか否かを判定する。
【００４７】
ステップＳＴ２２で複数領域判定部６により領域が１つであると判定された場合に、ステップＳＴ２３において、ディスク種別判定部７はディスク１を単一領域ディスクであると判定する。ステップＳＴ２２で複数領域が存在すると判定された場合には、ステップＳＴ２４において、ディスク形態判定部１０は、識別情報処理部５により識別された識別情報の中で、ディスク１の第一領域の導入部に記録されたディスク形態情報に基づき、ディスク１が読み取り専用ディスクであるか否かを判定する。
【００４８】
ステップＳＴ２４で、ディスク形態判定部１０により読み取り専用ディスクであると判定された場合に、ステップＳＴ２５において、ディスク種別判定部７はディスク１を、特定仕様に基づく、各領域の記録形式が特定されたエンハンスドミュージックＣＤであると判定する。また、ステップＳＴ２４で、ディスク形態判定部１０により読み取り専用ディスクでないと判定された場合には、ステップＳＴ２６において、ディスク種別判定部７はディスク１を複数領域ディスクであると判定する。
【００４９】
ステップＳＴ２７において、ディスク種別判定部７はディスク１の判定処理を終了し、制御部９はディスク種別判定部７のそれぞれの判定結果に基づきディスク１の再生制御を行う。すなわち、制御部９は、単一領域ディスクである場合に単一領域の再生制御を行い、複数領域ディスクである場合には複数領域の再生制御を行い、エンハンスドミュージックＣＤである場合には、他の複数領域ディスクと区別して、単一領域ディスクと同様の再生制御を行う。
【００５０】
以上のように、この実施の形態１によれば、複数領域判定部６がディスク１に複数領域が存在すると判定し、ディスク形態判定部１０がディスク１を読み取り専用ディスクであると判定した場合に、ディスク種別判定部７がディスク１をエンハンスドミュージックＣＤであると判定することにより、エンハンスドミュージックＣＤを、他の複数領域ディスクと区別して、単一領域ディスクと同様に再生することができるという効果が得られる。
【００５１】
実施の形態２．
図６はこの発明の実施の形態２による複数領域対応ディスク再生装置の構成を示すブロック図である。図において、目次読み取り処理判定部８は、ディスク種別判定部７の判定結果に基づき、ディスク１の第二領域以降の領域に記録された識別情報を含む目次情報の読み取り処理の制御を制御部９に行わせる。すなわち、目次読み取り処理判定部８は、ディスク種別判定部７がディスク１を単一領域ディスク又はエンハンスドミュージックＣＤであると判定した場合に、ディスク１の第二領域以降の目次情報の読み取り処理は不要であると判定し、制御部９に目次情報の読み取り処理を終了させると共に、ディスク種別判定部７がディスク１を複数領域ディスクであると判定した場合に、ディスク１の第二領域以降の目次情報の読み取り処理の制御を制御部９に行わせる。その他の実施の形態１における図４と同一符号が記された構成については、同一の構成を示している。
【００５２】
次に動作について説明する。
図７はこの発明の実施の形態２による複数領域対応ディスク再生装置の処理を示すフローチャートである。ステップＳＴ２１からＳＴ２６までの処理は、実施の形態１の図５におけるステップＳＴ２１からＳＴ２６までの処理と同一である。
【００５３】
図７のステップＳＴ２３で、ディスク種別判定部７がディスク１を単一領域ディスクであると判定した場合に、ステップＳＴ３０において、目次読み取り処理判定部８は、以降の領域の目次情報の読み取り処理は不要であると判定し、制御部９に目次情報の読み取り処理を終了させ、制御部９はディスク１のプログラム部の再生制御を行う。
【００５４】
また、ステップＳＴ２５で、ディスク種別判定部７がディスク１をエンハンスドミュージックＣＤであると判定した場合にも、ステップＳＴ３０において、目次読み取り処理判定部８は、同様に以降の領域の目次情報の読み取り処理は不要であると判定し、制御部９に目次情報の読み取り処理を終了させ、制御部９はディスク１のプログラム部の再生制御を行う。
【００５５】
ステップＳＴ２６で、ディスク種別判定部７がディスク１を複数領域ディスクであると判定した場合には、ステップＳＴ２８において、目次読み取り処理判定部８は、次領域の目次情報の開始位置情報を識別情報処理部５から入手して制御部９に送り、制御部９は信号処理部３を介して信号読み取り部２を次領域の目次位置に移動させ、次領域の目次情報の読み取り処理を行わせる。そして、ステップＳＴ２１における第一領域の目次情報の読み取り処理と同様に、信号処理部３が目次情報をデコードし、識別情報処理部５がデコードされた目次情報に含まれる各識別情報を識別する。
【００５６】
ステップＳＴ２９において、目次読み取り処理判定部８が、識別情報処理部５が識別した次領域の目次情報の開始位置情報により、さらに次領域が存在していると判定した場合に、ステップＳＴ２８，ＳＴ２９の処理を次領域が存在しなくなるまで繰り返す。ステップＳＴ２９で、目次読み取り処理判定部８は、識別情報処理部５が次領域の目次情報の開始位置情報を識別しておらず、次領域が存在しないと判定すると、ステップＳＴ３０において、目次読み取り処理判定部８は目次情報の読み取り処理を終了させ、制御部９はディスク１のプログラム部の再生制御を行う。
【００５７】
このように、複数領域ディスクとエンハンスドミュージックＣＤを別のディスクと判定することにより、エンハンスドミュージックＣＤの目次情報の読み取り処理を単一領域ディスクと同じとし、音出しまでにかかる時間を単一領域ディスクと同等にすることができる。
【００５８】
以上のように、この実施の形態２によれば、複数領域判定部６がディスク１に複数領域が存在すると判定し、ディスク形態判定部１０が読み取り専用ディスクであると判定した場合に、ディスク種別判定部７がディスク１をエンハンスドミュージックＣＤであると判定し、目次読み取り処理判定部８が、第一領域の目次情報の読み取り処理のみで目次情報の読み取り処理を終了させ、制御部９がディスク１のプログラム部の再生制御を行うことにより、エンハンスドミュージックＣＤについても、通常の単一領域ディスクと同じ程度の音出し時間をユーザに提供できるという効果が得られる。
【００５９】
実施の形態３．
図８はこの発明の実施の形態３による複数領域対応ディスク再生装置の構成を示すブロック図である。図において、１１は、識別情報処理部５により識別された識別情報の中で、ディスク１の第一領域の導入部に記録されたデータ形式により、第一領域が音楽データであるかその他のデータであるかを判定する第一領域データ形式判定部であり、ディスク種別判定部７は、複数領域判定部６の判定結果、ディスク形態判定部１０の判定結果及び第一領域データ形式判定部１１の判定結果に基づき、ディスク１の種別を判定する。その他の実施の形態２における図６と同一符号が記された構成については、同一の構成を示している。
【００６０】
次に動作について説明する。
図９はこの発明の実施の形態３による複数領域対応ディスク再生装置の処理を示すフローチャートである。このフローチャートは、上記実施の形態２の図７におけるステップＳＴ２４とステップＳＴ２５の処理の間に、ステップＳＴ３１の処理を追加したものである。
【００６１】
ステップＳＴ２４において、ディスク形態判定部１０がディスク１を読み取り専用ディスクであると判定した場合に、ステップＳＴ３１において、第一領域データ形式判定部１１は、識別情報処理部５により識別された識別情報の中で、ディスク１の第一領域の導入部に記録されたデータ形式により、第一領域が音楽データであるかその他のデータであるかを判定する。
【００６２】
ステップＳＴ３１で、第一領域データ形式判定部１１は、第一領域が音楽データであると判定した場合に、ステップＳＴ２５において、ディスク種別判定部７はディスク１をエンハンスドミュージックＣＤであると判定する。
【００６３】
ステップＳＴ３１で、第一領域データ形式判定部１１は、第一領域がその他のデータであると判定した場合には、ステップＳＴ２６において、ディスク種別判定部７はエンハンスドミュージックＣＤ以外の読み取り専用の複数領域ディスクであると判定して、ステップＳＴ２８に移り、実施の形態２の複数領域ディスクと同様の処理を行う。
その他の処理は、実施の形態２の図７に示す処理と同一である。
【００６４】
このように、ステップＳＴ２４，ＳＴ３１，ＳＴ２５，ＳＴ２６の処理を行うことにより、エンハンスドミュージックＣＤの目次読み取り処理を単一領域ディスクと同じとし、音出し時間を単一領域ディスクと同等にすることができると共に、書き込み可能ディスクの複数領域ディスクに対応しつつ、エンハンスドミュージックＣＤ以外の読み取り専用の複数領域ディスクにも対応することができる。
【００６５】
以上のように、この実施の形態３によれば、複数領域判定部６がディスク１に複数領域が存在すると判定し、ディスク形態判定部１０がディスク１を読み取り専用ディスクであると判定し、第一領域データ形式判定部１１が、第一領域が音楽データであると判定した場合に、ディスク種別判定部７がディスク１をエンハンスドミュージックＣＤであると判定し、目次読み取り処理判定部８が、第一領域の目次情報の読み取り処理のみで目次情報の読み取り処理を終了させ、制御部９がディスク１のプログラム部の再生制御を行うことにより、エンハンスドミュージックＣＤについても、通常の単一領域ディスクと同じ程度の音出し時間をユーザに提供できるという効果が得られる。
【００６６】
また、この実施の形態３によれば、第一領域データ形式判定部１１が、第一領域がその他のデータ形式であると判定した場合には、ディスク種別判定部７がエンハンスドミュージックＣＤ以外で第一領域がその他のデータの読み取り専用の複数領域ディスクと判定し、目次読み取り処理判定部８が次領域の目次情報の読み取り処理を制御部９に行わせることにより、第一領域がその他のデータの読み取り専用の複数領域ディスクの再生をユーザに提供できるという効果が得られる。
【００６７】
ところで、上記説明では、この発明を複数領域対応ＣＤプレーヤについて述べたが、その他の同様のデータ構造を持つ再生装置に対しても利用できることは言うまでもない。
【００６８】
以上のように、この発明に係る複数領域対応ディスク再生装置は、ディスク再生時に読み取る第一領域の目次情報より、複数領域ディスクの中の特定仕様に基づくディスクであるエンハンスドミュージックＣＤを判定し、単一領域のディスクと同様の再生処理や音出し時間を提供するものに適している。
【図面の簡単な説明】
【００６９】
【図１】従来の複数領域対応ディスク再生装置の構成を示すブロック図である。
【図２】従来の複数領域対応ディスク再生装置におけるディスク判定処理を示すフローチャートである。
【図３】従来の複数領域対応ディスク再生装置における目次情報の読み取り処理を示すフローチャートである。
【図４】この発明の実施の形態１による複数領域対応ディスク再生装置の構成を示すブロック図である。
【図５】この発明の実施の形態１による複数領域対応ディスク再生装置の処理を示すフローチャートである。
【図６】この発明の実施の形態２による複数領域対応ディスク再生装置の構成を示すブロック図である。
【図７】この発明の実施の形態２による複数領域対応ディスク再生装置の処理を示すフローチャートである。
【図８】この発明の実施の形態３による複数領域対応ディスク再生装置の構成を示すブロック図である。
【図９】この発明の実施の形態３による複数領域対応ディスク再生装置の処理を示すフローチャートである。
【図１】
0004417009.tif 000002
【図２】
0004417009.tif 000003
【図３】
0004417009.tif 000004
【図４】
0004417009.tif 000005
【図５】
0004417009.tif 000006
【図６】
0004417009.tif 000007
【図７】
0004417009.tif 000008
【図８】
0004417009.tif 000009
【図９】
0004417009.tif 000010